(57)【要約】【課題】  消費電力の増加を招くことなく、常に時間を気にすることなく、所望の番組の視聴を確実に行える無線携帯移動機を提供する。【解決手段】  操作部１３がテレビ番組情報にリンクしたことを通知すると、制御部１４はその旨をテレビ番組情報検出部１６に通知し、テレビ番組情報検出部１６はそのテレビ番組情報からテレビ番組を放映する日付・時刻・チャネルを読取る。制御部１４はその日付・時刻の情報を表示部１５に表示する。制御部１４は使用者の操作に応じてタイマ１７にその日付・時刻を設定する。タイマ１７は設定された日付・時刻になると、その旨を制御部１４に通知し、制御部１４はテレビ信号受信部１１にテレビ番組情報検出部１６で取出したチャネルのテレビ信号を受信させる。制御部１４はテレビ信号受信部１１から受取ったテレビ信号を画像にして表示部１５に表示する。【選択図】      図１                                                  
2005094273.tif 000002
【特許請求の範囲】
【請求項１】
放送信号を受信する受信手段と、前記放送信号の番組情報を取得する取得手段と、前記取得手段が取得した番組情報を基に前記受信手段による前記放送信号の受信を管理する管理手段とを有することを特徴とする無線携帯移動機。
【請求項２】
前記放送信号は、テレビ信号とラジオ信号との少なくとも一方であることを特徴とする請求項１記載の無線携帯移動機。
【請求項３】
前記取得手段は、少なくともインタネットを介して前記放送信号の番組情報を取得することを特徴とする請求項１または請求項２記載の無線携帯移動機。
【請求項４】
前記取得手段が取得した番組情報を基に外部から指定された日時となったことを検出する計時手段を含み、前記管理手段は前記計時手段からの通知に応答して前記受信手段による前記放送信号の受信を起動することを特徴とする請求項１から請求項３のいずれか記載の無線携帯移動機。
【請求項５】
放送信号を受信する受信手段を含む無線携帯移動機の放送信号自動受信方法であって、前記放送信号の番組情報を取得するステップと、その取得した番組情報を基に前記受信手段による前記放送信号の受信を管理するステップとを有することを特徴とする放送信号自動受信方法。
【請求項６】
前記放送信号は、テレビ信号とラジオ信号との少なくとも一方であることを特徴とする請求項５記載の放送信号自動受信方法。
【請求項７】
前記放送信号の番組情報を取得するステップは、少なくともインタネットを介して前記放送信号の番組情報を取得することを特徴とする請求項５または請求項６記載の放送信号自動受信方法。
【請求項８】
前記放送信号の受信を管理するステップは、前記放送信号の番組情報を基に外部から指定された日時となったことを検出する計時手段からの通知に応答して前記受信手段による前記放送信号の受信を起動することを特徴とする請求項５から請求項７のいずれか記載の放送信号自動受信方法。
【請求項９】
放送信号を受信する受信手段を含む無線携帯移動機の放送信号自動受信方法のプログラムであって、コンピュータに、前記放送信号の番組情報を取得する処理と、その取得した番組情報を基に前記受信手段による前記放送信号の受信を管理する処理とを実行させるためのプログラム。
【発明の詳細な説明】
【技術分野】
【０００１】
本発明は無線携帯移動機及びそれに用いる放送信号自動受信方法並びにそのプログラムに関し、特にテレビ信号受信機能付きの無線携帯移動機におけるテレビ信号等の受信方法に関する。
【背景技術】
【０００２】
従来、この種の無線携帯移動機においては、図８に示すように、テレビ信号受信部３１と、無線送受信部３２と、操作部３３と、制御部３４と、表示部３５と、タイマ３６とを備えている。
【０００３】
テレビ信号受信部３１は無線携帯移動機３に対してテレビ信号の受信を行い、無線送受信部３２は無線携帯移動機３のインタネット接続等の無線情報の送受信を行う。制御部３４はテレビ信号受信制御を含めた無線携帯移動機３の各部の制御を行う。操作部３３は使用者による操作を制御部３４に通知し、表示部３５はテレビ画像等を表示する。タイマ３６は設定された時間を制御部３４に通知する。
【０００４】
上記のような構成をとる無線携帯移動機３では、使用者が視聴したいテレビ番組を見る場合、そのテレビ番組が放映される日付・時刻・チャネルを新聞・雑誌等から調べ、その日付・時刻にテレビ信号を受信するようにチャネルを合わせている。
【０００５】
尚、無線携帯移動機には、携帯電話機等の多機能化に伴って、インタネット閲覧機能が付加されており、そのインタネット閲覧機能を用いて番組情報の取得を行う方法も提案されている（例えば、特許文献１参照）。
【０００６】
【特許文献１】特開２００３−６９９８０号公報
【発明の開示】
【発明が解決しようとする課題】
【０００７】
しかしながら、従来の無線携帯移動機のテレビ信号受信方法では、テレビ番組を視聴したい場合、その放映される日付・時刻・チャネルを新聞・雑誌等から調べ、あるいはインタネットを通して調べ、その日付・時刻に使用者自身がチャネルを合わせてテレビ信号を受信するようにしなければならないため、手間が掛かるという問題がある。そのため、従来の無線携帯移動機では、使用者の操作が繰り返されることとなるので、操作の繰り返しによって消費電流が増加してしまうという問題もある。
【０００８】
また、従来の無線携帯移動機では、テレビ番組を視聴したい場合、常に放映される時間を気にしていなければならず、放映されるテレビ番組を見逃さないために放映時間前からテレビ信号を受信するようにしておくため、これによっても消費電力が増加してしまうという問題もある。
【０００９】
そこで、本発明の目的は上記の問題点を解消し、消費電力の増加を招くことなく、常に時間を気にすることなく、所望の番組の視聴を確実に行うことができる無線携帯移動機及びそれに用いる放送信号自動受信方法並びにそのプログラムを提供することにある。
【課題を解決するための手段】
【００１０】
本発明による無線携帯移動機は、放送信号を受信する受信手段と、前記放送信号の番組情報を取得する取得手段と、前記取得手段が取得した番組情報を基に前記受信手段による前記放送信号の受信を管理する管理手段とを備えている。
【００１１】
本発明による放送信号自動受信方法は、放送信号を受信する受信手段を含む無線携帯移動機の放送信号自動受信方法であって、前記放送信号の番組情報を取得するステップと、その取得した番組情報を基に前記受信手段による前記放送信号の受信を管理するステップとを備えている。
【００１２】
本発明による放送信号自動受信方法のプログラムは、放送信号を受信する受信手段を含む無線携帯移動機の放送信号自動受信方法のプログラムであって、コンピュータに、前記放送信号の番組情報を取得する処理と、その取得した番組情報を基に前記受信手段による前記放送信号の受信を管理する処理とを実行させている。
【００１３】
すなわち、本発明の無線携帯移動機は、インタネット閲覧機能及び放送信号（テレビ信号やラジオ信号等）受信機能を備え、インタネット上で配信されるテレビ番組情報を基に設定した時間に放送信号を自動で受信することを可能としている。
【００１４】
より具体的に説明すると、本発明の無線携帯移動機は、無線携帯移動機に対してテレビ信号の受信を行うテレビ信号受信部と、無線携帯移動機によるインタネット閲覧等の無線情報の送受信を行う無線送受信部と、テレビ信号受信制御を含めた無線携帯移動機の各部の制御を行う制御部と、使用者の操作を制御部に通知する操作部と、テレビ画像等を表示する表示部と、インタネット上やテレビ放送上で配信されているテレビ番組情報［例えば、ＥＰＧ（Ｅｌｅｃｔｒｉｃ  Ｐｒｏｇｒａｍ  Ｇｕｉｄｅ：電子番組表）等］から対象のテレビ番組が放映される日付・時刻・チャネルを取出すテレビ番組情報検出部と、設定された時間を制御部に通知するタイマとを備えている。
【００１５】
本発明の無線携帯移動機では、使用者がインタネットに接続する動作を行うと、その操作内容が操作部から制御部に通知され、制御部が無線送受信部にインタネットに接続するように制御する。そこで、使用者がインタネット上の任意のサイトで配信されているテレビ番組情報にリンクする操作をすると、操作部は制御部にテレビ番組情報にリンクしたことを通知する。
【００１６】
この時、制御部がテレビ番組情報にリンクしたことをテレビ番組情報検出部に通知するので、テレビ番組情報検出部はそのテレビ番組情報からテレビ番組を放映する日付・時刻・チャネルを読取って制御部に通知する。制御部はテレビ番組情報検出部から通知された日付・時刻の情報を表示部に表示する。使用者はこのテレビ番組情報でよければ、そのまま設定する操作を行うので、操作部はその操作内容を制御部に通知する。
【００１７】
制御部は操作部から指定された日付・時刻をタイマに設定し、タイマは設定された日付・時刻になると、その旨を制御部に通知する。制御部はタイマからの通知を受けると、テレビ信号受信部にテレビ番組情報検出部で取出したチャネルのテレビ信号を受信するように通知する。制御部はテレビ信号受信部から受取ったテレビ信号を画像にして表示部に表示する。
【００１８】
これによって、本発明の無線携帯移動機では、使用者自身が複雑な設定をすることなく、視聴したいテレビやラジオ等の放送番組を自動で視聴することが可能となる。よって、本発明の無線携帯移動機では、消費電力の増加を招くことなく、常に時間を気にすることなく、所望の番組の視聴を確実に行うことが可能となる。
【発明の効果】
【００１９】
本発明は、以下に述べるような構成及び動作とすることで、消費電力の増加を招くことなく、常に時間を気にすることなく、所望の番組の視聴を確実に行うことができるという効果が得られる。
【発明を実施するための最良の形態】
【００２０】
次に、本発明の実施の形態について図面を参照して説明する。図１は本発明の実施の形態による無線携帯移動機の構成を示すブロック図である。図１において、無線携帯移動機１はテレビ信号受信部１１と、無線送受信部１２と、操作部１３と、制御部１４と、表示部１５と、テレビ番組情報検出部１６と、タイマ１７と、記録媒体１８とから構成されている。
【００２１】
テレビ信号受信部１１は無線携帯移動機１に対してテレビ信号の受信を行う。無線送受信部１２は無線携帯移動機１のインタネット接続等の無線情報の送受信を行う。また、制御部１４はテレビ信号受信制御を含む無線携帯移動機１の各部の制御を行う。操作部１３は使用者の操作を制御部１４に通知する。表示部１５はテレビ画像等を表示する。
【００２２】
テレビ番組情報検出部１６はインタネット上やテレビ放送上で配信されているテレビ番組情報［例えば、ＥＰＧ（Ｅｌｅｃｔｒｉｃ  Ｐｒｏｇｒａｍ  Ｇｕｉｄｅ：電子番組表）等］から対象のテレビ番組が放映される日付・時刻・チャネルを取出す。タイマ１７は設定された時間を制御部１４に通知する。記録媒体１８は制御部１４等で実行されるプログラム（コンピュータで実行可能なプログラム）を格納している。
【００２３】
無線携帯移動機１において、使用者がインタネットに接続する動作、あるいはテレビ信号の受信動作を行うと、操作部１３は使用者の操作内容を制御部１４に通知する。制御部１４は操作部１３からの通知を受けると、無線送受信部１２にインタネットに接続するように、あるいはテレビ信号受信部１１にテレビ信号を受信するように制御する。
【００２４】
そこで、使用者がインタネット上の任意のサイトで配信されているテレビ番組情報にリンクする操作、あるいは任意のテレビ信号で放送されているテレビ番組情報を受信する操作を行うと、操作部１３は制御部１４にテレビ番組情報にリンクしたことを通知する。
【００２５】
この時、制御部１４はテレビ番組情報にリンクしたことをテレビ番組情報検出部１６に通知するので、テレビ番組情報検出部１６はそのテレビ番組情報からテレビ番組を放映する日付・時刻・チャネルを読取り、それらの情報を制御部１４に通知する。
【００２６】
制御部１４はテレビ番組情報検出部１６から通知された日付・時刻の情報を表示部１５に表示し、使用者がこのテレビ番組情報でよければ、そのまま設定する操作を行うので、操作部１３はその操作内容を制御部１４に通知する。
【００２７】
制御部１４は操作部１３からの操作内容を受取ると、タイマ１７にその日付・時刻を設定する。タイマ１７は設定された日付・時刻になると、その旨を制御部１４に通知するので、制御部１４はテレビ信号受信部１１にテレビ番組情報検出部１６で取出したチャネルのテレビ信号を受信するように通知する。制御部１４はテレビ信号受信部１１から受取ったテレビ信号を画像にして表示部１５に表示する。
【００２８】
このように、本発明の実施の形態では、使用者自身が複雑な設定を行うことなく、視聴したいテレビ番組を自動で見られるようにすることができる。よって、本発明の実施の形態では、消費電力の増加を招くことなく、常に時間を気にすることなく、所望の番組の視聴を確実に行うことができる。
【実施例１】
【００２９】
次に、本発明の一実施例について説明する。本発明の一実施例による無線携帯移動機は、図１に示す本発明の実施の形態による無線携帯移動機１と同様の構成及び動作となっているので、それらの説明については省略する。
【００３０】
図２は本発明の一実施例による無線携帯移動機におけるテレビ信号の受信動作を示す図である。図２において、待受画面２０１は通常、無線携帯移動機１がテレビ信号２０４や無線信号を受信していない時の画面の一例である。テレビ番組情報画面２０２はインタネット上で配信されているテレビ番組情報の一例を示し、テレビタイマ設定画面２０３はテレビ番組情報画面２０２にリンクした時に表示される画面の一例を示している。テレビ画面２０５はテレビ信号２０４を受信して無線携帯移動機１の画面に表示されるテレビ画面の一例である。
【００３１】
無線携帯移動機１がテレビ信号２０４や無線信号を受信していない待受画面２０１で、使用者が無線送受信部１２を通してインタネットに接続し、インタネット上の任意のサイトで配信されているテレビ番組情報画面２０２にリンクする操作をすると、操作部１３から制御部１４へテレビ番組情報にリンクしたことが通知される。
【００３２】
この時、制御部１４はテレビ番組情報にリンクしたことをテレビ番組情報検出部１６に通知し、テレビ番組情報検出部１６はこのテレビ番組情報からテレビ番組が放映される日付・時刻・チャネルを読取って制御部１４に通知する。制御部１４はこれらの情報を表示部１５に対してテレビタイマ設定画面２０３として表示する。
【００３３】
使用者はこのテレビ番組情報でよければ、そのまま設定する操作を行うので、操作部１３はその設定内容を制御部１４に通知する。制御部１４は設定された日付・時刻をタイマ１７に対して設定し、無線携帯移動機１の画面表示は待受画面２０１へと戻る。
【００３４】
設定された日付・時刻になった時、タイマ１７はその旨を制御部１４に通知するので、制御部１４はテレビ信号受信部１１に対してテレビ信号２０４を受信するように通知する。制御部１４はテレビ信号２０４を受取った際、それを画像に変換して表示部１５にテレビ画面２０５として表示する。
【００３５】
このように、本実施例では、使用者自身が複雑な設定をすることなく、視聴したいテレビ番組を自動で見られるようにすることができる。よって、本実施例では、消費電力の増加を招くことなく、常に時間を気にすることなく、所望の番組の視聴を確実に行うことができる。
【００３６】
図３は本発明の一実施例による無線携帯移動機１の動作を示すフローチャートであり、図４は図３におけるテレビタイマ設定動作を示すフローチャートである。これら図１〜図４を参照して本発明の一実施例による無線携帯移動機１の動作について説明する。尚、図３及び図４に示す処理は無線携帯移動機１が記録媒体１８のプログラムを実行することで実現される。
【００３７】
制御部１４は無線信号の送受信やテレビ信号の受信を行っていない待機状態の時（図３ステップＳ１）、定期的にテレビタイマ設定時間かどうかの判断を行う（図３ステップＳ２）。制御部１４はテレビタイマ設定時間でなかった場合、テレビタイマ設定をするかどうかの判断を行う（図３ステップＳ３）。
【００３８】
制御部１４は使用者がテレビタイマ設定を行わない場合、再び待機状態に戻る（図３ステップＳ１）。制御部１４はテレビタイマ設定を行う場合、テレビタイマ設定動作を行う（図３ステップＳ４）。
【００３９】
テレビタイマ設定動作において、使用者がインタネット接続操作を行うと、制御部１４は使用者の操作が操作部１３から通知されるので、無線送受信部１２にインタネットへ接続するように通知する（図４ステップＳ１１）。制御部１４はインタネット上の任意のサイトで配信されているテレビ番組情報を取得して表示部１５に表示する（図４ステップＳ１２）。
【００４０】
テレビ番組情報画面２０２が表示部１５に表示されている状態で、使用者自身が視聴したいテレビ番組情報に対してリンクを行うと、操作部１３からテレビ番組情報にリンクしたことが通知されるので、制御部１４はその旨をテレビ番組情報検出部１６に通知する（図４ステップＳ１３）。
【００４１】
テレビ番組情報検出部１６はこのテレビ番組情報からテレビ番組が放映される日付・時刻・チャネルを読取って（図４ステップＳ１４）、それらの情報を制御部１４に通知する。制御部１４はテレビ番組情報検出部１６から通知されたテレビ番組の日付・時刻・チャネルをテレビタイマ設定画面２０３として表示部１５へ表示する（図４ステップＳ１５）。
【００４２】
使用者はこのテレビ番組情報でよければ、そのまま設定する操作を行うので、操作部１３はその設定内容を制御部１４に通知する。制御部１４はテレビ番組情報検出部１６が取出した日付・時刻をタイマ１７に対して設定する（図４ステップＳ１６）。
【００４３】
その後、制御部１４は待機状態に戻り（図３ステップＳ１）、定期的に行われるテレビタイマ設定時間かどうかの判断を行い（図３ステップＳ２）、テレビタイマ設定時間に達した場合、タイマ１７が設定時間になったことを制御部１４に通知する。
【００４４】
制御部１４はタイマ１７からの通知に応答して、テレビ信号受信部１１に対してテレビ番組情報検出部１６の取出したチャネルでテレビ信号を受信するように通知し、テレビ信号受信を行う（図３ステップＳ５）。制御部１４はテレビ信号受信部１１でテレビ信号が受信されると、そのテレビ信号を画像に変換して表示部１５に対して表示する（図３ステップＳ６）。
【００４５】
制御部１４は使用者がテレビ信号を切断するかどうかを判断し（図３ステップＳ７）、テレビ信号を切断しない場合、テレビ信号を受信し続ける（図３ステップＳ５）。使用者がテレビ信号を切断する操作を行うと、操作部１３からその旨が通知されるので、制御部１４はテレビ信号受信部１１に対してテレビ信号を切断するように通知する。テレビ信号受信部１１は制御部１４からの通知を受けると、テレビ信号を切断する（図３ステップＳ８）。
【００４６】
このように、本実施例では、使用者が視聴したいテレビ番組の時間を常に気にすることなく、そのテレビ番組を確実に見ることができ、視聴したいテレビ番組以外であれば、テレビ信号を受信しない状態にしておけるので、余分な消費電力の増加を防ぐことができる。
【００４７】
また、本実施例では、インタネット上で配信されているテレビ番組情報に基づいてタイマ１７を設定するので、使用者の手間がいらないため、操作性を向上させることができ、使用者の余分な手作業を減らすことができるとともに、消費電力の増加を防ぐことができる。
【００４８】
さらに、本実施例では、インタネット上で配信されている情報に基づいてテレビ番組情報を取得することができるので、設定ミスによる視聴したい番組を見逃すという恐れをなくすことができる。尚、テレビ番組情報［例えば、ＥＰＧ（Ｅｌｅｃｔｒｉｃ  Ｐｒｏｇｒａｍ  Ｇｕｉｄｅ：電子番組表）等］はインタネット上のみでなく、テレビ放送上等でも取得することが可能である。
【実施例２】
【００４９】
図５は本発明の他の実施例による無線携帯移動機の構成を示すブロック図である。図５において、本発明の他の実施例による無線携帯移動機２はラジオ信号受信部２１を追加し、テレビ番組情報検出部１７の代わりに番組情報検出部２３を設けた以外は図１に示す本発明の実施の形態による無線携帯移動機１と同様の構成となっており、同一構成要素には同一符号を付してある。
【００５０】
テレビ信号受信部１１は無線携帯移動機２に対してテレビ信号の受信を行い、ラジオ信号受信部２１は無線携帯移動機２に対してラジオ信号の受信を行う。無線送受信部１２は無線携帯移動機２のインタネット接続等の無線情報の送受信を行う。制御部２２はテレビ信号受信制御を含む無線携帯移動機２の各部の制御を行う。
【００５１】
操作部１３は使用者の操作を制御部２２に通知する。表示部１５はテレビ画像等を表示する。番組情報検出部２３はインタネット上やテレビ放送上で配信されているテレビ番組情報やラジオ番組情報からその番組が放映される日付・時刻・チャネルを取出す。タイマ１７は設定された時間を制御部２２に通知する。
【００５２】
無線携帯移動機２において、使用者がインタネットに接続する動作、あるいはテレビ信号の受信動作を行うと、操作部１３は使用者の操作内容を制御部２２に通知する。制御部２２は操作部１３からの通知を受けると、無線送受信部１２にインタネットに接続するように、あるいはテレビ信号受信部１１にテレビ信号を受信するように制御する。
【００５３】
そこで、使用者がインタネット上の任意のサイトで配信されているテレビ番組情報またはラジオ番組情報にリンクする操作、あるいは任意のテレビ信号で放送されているテレビ番組情報またはラジオ番組情報を受信する操作を行うと、操作部１３は制御部２２にテレビ番組情報またはラジオ番組情報にリンクしたことを通知する。
【００５４】
この時、制御部２２はテレビ番組情報またはラジオ番組情報にリンクしたことを番組情報検出部２３に通知するので、番組情報検出部２３はテレビ番組情報またはラジオ番組情報からテレビ番組またはラジオ番組を放映する日付・時刻・チャネルを読取り、それらの情報を制御部２２に通知する。
【００５５】
制御部２２は番組情報検出部２３から通知された日付・時刻の情報を表示部１５に表示し、使用者がその設定でよければ、そのまま設定する操作を行うので、操作部１３は制御部２２にその操作内容を通知する。
【００５６】
制御部２２は操作部１３からの操作内容を受取ると、タイマ１７にその日付・時刻を設定する。タイマ１７は設定された日付・時刻になると、その旨を制御部２２に通知するので、制御部２２はテレビ信号受信部１１またはラジオ信号受信部２１に番組情報検出部２３で取出したチャネルのテレビ信号またはラジオ信号を受信するように通知する。
【００５７】
制御部１４は受取った信号がテレビ信号だった場合、そのテレビ信号を画像にして表示部１５に表示する。また、制御部１４は受取った信号がラジオ信号だった場合、そのラジオ信号を音声にして図示せぬスピーカから出力する。
【００５８】
図６は本発明の他の実施例による無線携帯移動機２の動作を示すフローチャートであり、図７は図６におけるテレビ／ラジオタイマ設定動作を示すフローチャートである。これら図５〜図７を参照して本発明の他の実施例による無線携帯移動機２の動作について説明する。尚、図６及び図７に示す処理は無線携帯移動機２が記録媒体２４のプログラムを実行することで実現される。
【００５９】
制御部２２は無線信号の送受信、テレビ信号及びラジオ信号の受信を行っていない待機状態の時（図６ステップＳ２１）、定期的にテレビ／ラジオタイマ設定時間かどうかの判断を行う（図６ステップＳ２２）。制御部２２はテレビ／ラジオタイマ設定時間でなかった場合、テレビ／ラジオタイマ設定を行うかどうかの判断を行う（図６ステップＳ２３）。
【００６０】
制御部２２は使用者がタイマ設定を行わない場合、再び待機状態に戻る（図６ステップＳ２１）。制御部１４はテレビ／ラジオタイマ設定を行う場合、テレビ／ラジオタイマ設定動作を行う（図６ステップＳ２４）。
【００６１】
テレビ／ラジオタイマ設定動作において、使用者がインタネット接続操作を行うと、制御部２２は使用者の操作が操作部１３から通知されるので、無線送受信部１２にインタネットへ接続するように通知する（図７ステップＳ４１）。制御部１４はインタネット上の任意のサイトで配信されているテレビ番組情報またはラジオ番組情報を取得して表示部１５に表示する（図７ステップＳ４２）。
【００６２】
テレビ番組情報またはラジオ番組情報が表示部１５に表示されている状態で、使用者自身が視聴したいテレビ番組情報またはラジオ番組情報に対してリンクを行うと、操作部１３からテレビ番組情報またはラジオ番組情報にリンクしたことが通知されるので、制御部２２はその旨を番組情報検出部２３に通知する（図７ステップＳ４３）。
【００６３】
番組情報検出部２３は何の番組情報かの判断を行い（図７ステップＳ４４）、テレビ番組情報だった場合、テレビ番組情報からテレビ番組が放映される日付・時刻・チャネルを読取って（図７ステップＳ４５）、それらの情報を制御部２２に通知する。制御部２２は番組情報検出部２３から通知されたテレビ番組の日付・時刻・チャネルをテレビタイマ設定画面として表示部１５へ表示する（図７ステップＳ４６）。
【００６４】
使用者はこのテレビ番組情報でよければ、そのまま設定する操作を行うので、操作部１３はその設定内容を制御部２２に通知する。制御部２２は番組情報検出部２３が取出した日付・時刻をタイマ１７に対して設定する（図７ステップＳ４７）。
【００６５】
何の番組情報かの判断で、ラジオ番組情報だった場合、番組情報検出部２３はラジオ番組情報からラジオ番組が放映される日付・時刻・チャネルを読取って（図７ステップＳ４８）、それらの情報を制御部２２に通知する。制御部２２は通知されたラジオ番組の日付・時刻・チャネルをラジオタイマ設定画面として表示部１５へ表示する（図７ステップＳ４９）。
【００６６】
使用者はこのラジオ番組情報でよければ、そのまま設定する操作を行うので、操作部１３はその設定内容を制御部２２に通知する。制御部２２は番組情報検出部２３が取出した日付・時刻をタイマ１７に対して設定する（図７ステップＳ５０）。
【００６７】
その後、制御部２２は待機状態に戻り（図６ステップＳ２１）、定期的に行われるタイマ設定時間かどうかの判断を行い（図６ステップＳ２２）、テレビタイマ設定時間に達した場合、タイマ１７が設定時間になったことを制御部２２に通知する。
【００６８】
制御部２２はタイマ１７からの通知に応答して、テレビ信号受信部１１に番組情報検出部２３の取出したチャネルでテレビ信号を受信するように通知し、テレビ信号受信を行う（図６ステップＳ２５）。制御部２２はテレビ信号受信部１１でテレビ信号が受信されると、そのテレビ信号を画像に変換して表示部１５に対して表示する（図６ステップＳ２６）。
【００６９】
使用者がテレビ信号を切断する操作を行うと、操作部１３からその旨が通知されるので、制御部１４はテレビ信号受信部１１に対してテレビ信号を切断するように通知する。テレビ信号受信部１１は制御部２２からの通知を受けると、テレビ信号を切断する（図３ステップＳ８）。
【００７０】
制御部２２は使用者がテレビ信号を切断するかどうかを判断し（図６ステップＳ２７）、テレビ信号を切断しない場合、テレビ信号を受信し続ける（図６ステップＳ２５）。
【００７１】
使用者がテレビ信号を切断する操作を行うと、操作部１３からその旨が通知されるので、制御部２２はテレビ信号受信部１１に対してテレビ信号を切断するように通知する。テレビ信号受信部１１は制御部１４からの通知を受けると、テレビ信号を切断する（図６ステップＳ２８）。
【００７２】
テレビ／ラジオタイマ設定動作において、ラジオタイマ設定時間に達した場合、タイマ１７は設定時間になったことを制御部２２に通知する。制御部２２はラジオ信号受信部２１に番組情報検出部２３の取出したチャネルでラジオ信号を受信するように通知し、ラジオ信号の受信を行う（図６ステップＳ２９）。
【００７３】
制御部２２は使用者がラジオ信号を切断するかどうかを判断し（図６ステップＳ３０）で、ラジオ信号を切断しない場合、ラジオ信号を受信し続ける（図６ステップＳ２９）。使用者がラジオ信号を切断する操作を行うと、操作部１３からその旨が通知されるので、制御部２２はラジオ信号受信部２１に対してラジオ信号を切断するように通知する。ラジオ信号受信部４０２は制御部２２からの通知を受けると、ラジオ信号を切断する（図６ステップＳ３１）。
【００７４】
このように、本実施例では、使用者が視聴したい放送番組（テレビ番組またはラジオ番組）の時間を常に気にすることなく、その放送番組を確実に視聴することができ、視聴したい放送番組以外であれば、テレビ信号またはラジオ信号を受信しない状態にしておけるので、余分な消費電力の増加を防ぐことができる。
【００７５】
また、本実施例では、インタネット上で配信されているテレビ番組情報に基づいてタイマ１７を設定するので、使用者の手間がいらないため、操作性を向上させることができ、使用者の余分な手作業を減らすことができるとともに、消費電力の増加を防ぐことができる。
【００７６】
さらに、本実施例では、インタネット上で配信されている情報に基づいて放送番組情報を取得することができるので、設定ミスによる視聴したい番組を視聴し逃すという恐れをなくすことができる。尚、テレビ番組情報［例えば、ＥＰＧ（Ｅｌｅｃｔｒｉｃ  Ｐｒｏｇｒａｍ  Ｇｕｉｄｅ：電子番組表）等］やラジオ番組はインタネット上のみでなく、テレビ放送上等でも取得することが可能である。
【図面の簡単な説明】
【００７７】
【図１】本発明の実施の形態による無線携帯移動機の構成を示すブロック図である。
【図２】本発明の一実施例による無線携帯移動機におけるテレビ信号の受信動作を示す図である。
【図３】本発明の一実施例による無線携帯移動機の動作を示すフローチャートである。
【図４】図３におけるテレビタイマ設定動作を示すフローチャートである。
【図５】本発明の他の実施例による無線携帯移動機の構成を示すブロック図である。
【図６】本発明の他の実施例による無線携帯移動機の動作を示すフローチャートである。
【図７】図６におけるテレビ／ラジオタイマ設定動作を示すフローチャートである。
【図８】従来例による無線携帯移動機の構成を示すブロック図である。
【符号の説明】
【００７８】
１，２  無線携帯移動機
１１  テレビ信号受信部
１２  無線送受信部
１３  操作部
１４，２２  制御部
１５  表示部
１６  テレビ番組情報検出部
１７  タイマ
１８，２４  記録媒体
２１  ラジオ信号受信部
２３  番組情報検出部
２０１  待受画面
２０２  テレビ番組情報画面
２０３  テレビタイマ設定画面
２０４  テレビ信号
２０５  テレビ画面
【図１】
2005094273.tif 000003
【図２】
2005094273.tif 000004
【図３】
2005094273.tif 000005
【図４】
2005094273.tif 000006
【図５】
2005094273.tif 000007
【図６】
2005094273.tif 000008
【図７】
2005094273.tif 000009
【図８】
2005094273.tif 000010